【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
電子写真感光体と、前記電子写真感光体に作用するプロセス手段と、カートリッジ接点を有する、情報を記憶するためのメモリ手段と、を有するプロセスカートリッジを着脱可能で、記録媒体に画像を形成する電子写真画像形成装置において、
（ａ）前記プロセスカートリッジを着脱するための開口と、
（ｂ）前記開口を開放する開状態と、前記開口を閉塞する閉状態との間を移動する開閉カバーと、
（ｃ）前記開閉カバーの前記閉状態を検知するための検知部材と、
（ｄ）本体接点を有するコネクタ部材であって、前記本体接点が前記カートリッジ接点と接触する接触位置と、前記本体接点が前記カートリッジ接点と離間する離間位置とをとり得るコネクタ部材であって、前記接触位置から前記離間位置に移動する方向に付勢されているコネクタ部材と、
（ｅ）前記コネクタ部材を前記離間位置から前記接触位置に移動させる動作部材と、
（ｇ）前記動作部材に係合して前記コネクタ部材を前記接触位置に保持する保持部材と、
（ｈ）前記開閉カバーが前記閉状態から移動した際に前記検知部材から出力される信号の変化を検知した後に、前記コネクタ部材を介して前記メモリ手段と通信をおこなう制御手段と、
（ｉ）前記開閉カバーが前記閉状態から移動した際に前記検知部材から出力される信号の変化が生じる位置よりも更に前記開閉カバーが前記開状態の方向に移動する途中で、前記保持部材の前記動作部材に対する係合を解除する解除機構と、
を有することを特徴とする電子写真画像形成装置。
【請求項２】
前記解除機構は、前記開閉カバーが移動するのに連動して移動するリンク部材であって、前記保持部材に当接して前記係合を解除する突起部を有するリンク部材を有することを特徴とする請求項1に記載の電子写真画像形成装置。
【請求項３】
前記突起部は、前記電子写真画像形成装置の本体に設けられた溝に沿って移動することを特徴とする請求項２に記載の電子写真画像形成装置。
【請求項４】
更に、前記電子写真画像形成装置は、前記保持部材は前記動作部材に係合する方向に付勢されていることを特徴とする請求項１乃至３のいずれか１項に記載の電子写真画像形成装置。
【請求項５】
前記動作部材は、前記開閉カバーが前記開状態から前記閉状態に移動する際に、前記開閉カバーに押圧されて前記コネクタ部材を前記離間位置から前記接触位置に移動させることを特徴とする請求項１乃至４のいずれか１項に記載の電子写真画像形成装置。
【請求項６】
前記開閉カバーは、前記検知部材に作用する突起部を有することを特徴とする請求項１乃至５のいずれか１項に記載の電子写真画像形成装置。
【手続補正２】
【補正対象書類名】明細書
【補正対象項目名】００１７
【補正方法】変更
【補正の内容】
【００１７】
上記目的を達成するための本発明に係る画像形成装置の代表的な構成は、
電子写真感光体と、前記電子写真感光体に作用するプロセス手段と、カートリッジ接点を有する、情報を記憶するためのメモリ手段と、を有するプロセスカートリッジを着脱可能で、記録媒体に画像を形成する電子写真画像形成装置において、
（ａ）前記プロセスカートリッジを着脱するための開口と、
（ｂ）前記開口を開放する開状態と、前記開口を閉塞する閉状態との間を移動する開閉カバーと、
（ｃ）前記開閉カバーの前記閉状態を検知するための検知部材と、
（ｄ）本体接点を有するコネクタ部材であって、前記本体接点が前記カートリッジ接点と接触する接触位置と、前記本体接点が前記カートリッジ接点と離間する離間位置とをとり得るコネクタ部材であって、前記接触位置から前記離間位置に移動する方向に付勢されているコネクタ部材と、
（ｅ）前記コネクタ部材を前記離間位置から前記接触位置に移動させる動作部材と、
（ｇ）前記動作部材に係合して前記コネクタ部材を前記接触位置に保持する保持部材と、
（ｈ）前記開閉カバーが前記閉状態から移動した際に前記検知部材から出力される信号の変化を検知した後に、前記コネクタ部材を介して前記メモリ手段と通信をおこなう制御手段と、
（ｉ）前記開閉カバーが前記閉状態から移動した際に前記検知部材から出力される信号の変化が生じる位置よりも更に前記開閉カバーが前記開状態の方向に移動する途中で、前記保持部材の前記動作部材に対する係合を解除する解除機構と、
を有することを特徴とする。
【手続補正３】
【補正対象書類名】明細書
【補正対象項目名】００１８
【補正方法】変更
【補正の内容】
【００１８】
上記の構成により、開閉カバー（ドア）をいかなる操作力や操作速度で動かしても、検知部材が開閉カバーの開を検知してからメモリ手段とコネクタ部材との接合が離間するまでの時間を一定時間以上に保つ事が可能となる。これにより、メモリ手段とコネクタ部材との接合が離間するまでの時間を、データ通信の終了処理を行なうのに必要な時間以上に保つ事が可能になり、ユーザビリティを犠牲にすることなくメモリ手段との通信の確実性を確保する事が可能となる。
【手続補正４】
【補正対象書類名】明細書
【補正対象項目名】００２１
【補正方法】変更
【補正の内容】
【００２１】
（１）画像形成装置の全体的な概略構成
図１は本実施例における電子写真画像形成装置の概略図である。この画像形成装置は転写式電子写真プロセスを利用した、プロセスカートリッジ着脱方式のレーザービームプリンタである。
【手続補正５】
【補正対象書類名】明細書
【補正対象項目名】００３６
【補正方法】変更
【補正の内容】
【００３６】
また、図２のように、カートリッジＢのドラム枠体１８に取り付けられているメモリ手段（メモリタグ）６０のカートリッジ接点である電気的接点部６０ａ・６０ｂと、プリンタ本体Ａ側のコネクタ（コネクタ部材、接続手段、本体電気接点部材）５４の接点部５４ａ・５４ｂとが接合する。この接合により、メモリ手段６０とプリンタ本体Ａ側の制御回路１００との間で通信が可能となる（接触式の通信方式）。
【手続補正６】
【補正対象書類名】明細書
【補正対象項目名】００５２
【補正方法】変更
【補正の内容】
【００５２】
ハウジング５１の前方には、フレーム部３５上に前後方向にスライド移動可能に動作部材であるロッド５５を配設してある。図９はこのロッド５５の外観斜視図である。ロッド５５は、先端側のドア当接部５５ａと、後端側の押し板部５５ｂと、下面側の前後２箇所部の係合爪部５５ｃと、後端側において側方に突出させた突起部５５ｄとを有している。
【手続補正７】
【補正対象書類名】明細書
【補正対象項目名】００６４
【補正方法】変更
【補正の内容】
【００６４】
ドア９を軸部９ａを中心に時計方向Ｌに回動させて開き始め、所定角度まで開くと、ドア９の突起部９ｂが検知部材であるスイッチ９０のアクチュエータ９０ａより離れる。これにより、スイッチ−ＯＦＦ信号が制御回路１００に入力する。制御回路１００はこのＯＦＦ信号の入力によりドア９が開かれたことを検知し、制御回路１００の通信制御機能部が、制御回路１００とカートリッジＢ側のメモリ手段６０との通信を終了させるための処理を開始する。
【手続補正８】
【補正対象書類名】図面
【補正対象項目名】図２
【補正方法】変更
【補正の内容】
【図２】
2007121746.tif 000001
【手続補正９】
【補正対象書類名】図面
【補正対象項目名】図４
【補正方法】変更
【補正の内容】
【図４】
2007121746.tif 000002
【手続補正１０】
【補正対象書類名】図面
【補正対象項目名】図１０
【補正方法】変更
【補正の内容】
【図１０】
2007121746.tif 000003
【手続補正１１】
【補正対象書類名】図面
【補正対象項目名】図１１
【補正方法】変更
【補正の内容】
【図１１】
2007121746.tif 000004
【手続補正１２】
【補正対象書類名】図面
【補正対象項目名】図１３
【補正方法】変更
【補正の内容】
【図１３】
2007121746.tif 000005